(57)【特許請求の範囲】
【請求項１】
棚本体に取り付けられた受け具にその左右両端の前後部が載せ置かれた状態で当該棚本体に取り付けられる棚板であって、
前記受け具に対して前後方向にスライドさせて前記棚本体への取り付けを行うことにより前記受け具の下面に重なり上方への移動が前記受け具により阻止された状態になる外れ防止部を有し、
前記受け具は、前後に揺動可能に前記棚本体に引っ掛けて取り付けられ、
前記受け具には、前記棚板と係合して前記棚板の前後方向への移動を阻止する係合爪部が形成され、
前記棚板の左右両端前後部には、前記係合爪部と係合する係合部が形成され、
前記係合部のうち前記棚板の前後部いずれか一方の係合部は、前記棚本体への取り付け時における前記受け具に対する前記棚板の前後方向へのスライドを許容し得る形状・寸法に形成され、
前記外れ防止部は、前記一方の係合部の少なくとも一部と重なる位置に設けられていることを特徴とする耐震棚板。
【発明の詳細な説明】
【技術分野】
【０００１】
本発明は、地震などによる上下方向の強い振動が発生しても外れにくい耐震棚板に関する。
【背景技術】
【０００２】
従来、書架等における多くの棚板は、棚本体を構成する前後左右の４本の支柱に形成された互いに同じ高さに位置する４つの係合孔に受け具（棚ダボ、ブラケット、等）を各々取り付け、これら合計４個の受け具によってその左右両端前後部が下から受け支えられた状態で棚本体に取り付けられる。４本の支柱の代わりに前後部に係合孔を有して相対向する左右一対の側板を有する棚の場合も同様である。
【発明の開示】
【発明が解決しようとする課題】
【０００３】
上述のように、従来の多くの棚板は、受け具によって下から受け支えられた状態すなわち、受け具の上に単に載せ置かれた状態で棚本体に取り付けられているため、地震などにより上下方向に大きく振動すると、受け具から外れてしまうおそれがある。
本発明が解決しようとする課題は、上下方向の強い振動が発生しても外れにくい耐震棚板を提供することにある。
【課題を解決するための手段】
【０００４】
上記課題を解決するために、本発明の耐震棚板は、棚本体に取り付けられた受け具にその左右両端の前後部が載せ置かれた状態で当該棚本体に取り付けられる棚板であって、
前記受け具に対して前後方向にスライドさせて前記棚本体への取り付けを行うことにより前記受け具の下面に重なり上方への移動が前記受け具により阻止された状態になる外れ防止部を有することを特徴とする。
この耐震棚板は、受け具に対して前後方向にスライドさせることにより棚本体に簡単に取り付けることができ、取り付けた後は外れ防止部が受け具の下面に重なることにより、受け具に対する上方への移動が阻止された状態になるので、上下方向の強い振動が発生しても受け具から外れにくい。
【０００５】
本発明の耐震棚板において、前記受け具は、前後方向に揺動可能に前記棚本体に引っ掛けて取り付けられ、
前記受け具には、前記棚板と係合して前記棚板の前後方向への移動を阻止する係合爪部が形成され、
前記棚板の左右両端前後部には、前記係合爪部と係合する係合部が形成され、
前記係合部のうち前記棚板の前後部いずれか一方の係合部は、前記棚本体への取り付け時における前記受け具に対する前記棚板の前後方向へのスライドを許容し得る形状・寸法に形成され、
前記外れ防止部は、前記一方の係合部の少なくとも一部と重なる位置に設けられていることが望ましい。
この耐震棚板は、その前後一端が他端よりも下になるように傾けた姿勢で、当該下になっている方の左右両端部を左右の受け具に載せ置き、この状態で斜め下向きにスライドさせることにより、左右の外れ防止部をそれぞれ左右の受け具の下面に重なるように配置することができる。その後、他端を下げていくことにより、他端側の左右両端部も左右の受け具に載せ置かれる。このとき、受け具の係合爪部が棚板の係合部に係合し、前後方向の振動が発生しても受け具から外れにくい状態になる。
【発明の効果】
【０００６】
本発明によれば、地震などによる上下方向の強い振動が発生しても外れにくい耐震棚板を簡単な構成で実現できる。
【図面の簡単な説明】
【０００７】
【図１】耐震棚板を備えたスチール書棚の全体構造を例示する部分破断斜視図
【図２】耐震棚板が棚本体に取り付けられている状態を例示する要部斜視図
【図３】耐震棚板が棚本体に取り付けられている状態を例示する要部断面図
【図４】（ａ）：受け具の正面図  （ｂ）：受け具の右側面図  （ｃ）：受け具の左側面図  （ｄ）：受け具の平面図
【図５】（ａ）：耐震棚板の部分正面図  （ｂ）：耐震棚板の部分底面図  （ｃ）：耐震棚板のＣ−Ｃ断面図  （ｄ）：耐震棚板の右側面図
【図６】（ａ）：耐震棚板の取り付け方法を示す要部平面図  （ｂ）：耐震棚板の取り付け方法を示す要部断面図
【図７】（ａ）：耐震棚板が棚本体に取り付けられている状態を例示する断面図  （ｂ）：耐震棚板が棚本体に取り付けられている状態を例示する別の位置の断面図
【発明を実施するための形態】
【０００８】
以下、本発明の実施形態について図面を参照して説明する。ここでは、本発明の耐震棚板を、図書館等に設置されるスチール書棚の棚板に適用した場合を例にとり説明する。
【０００９】
図１に示すように、耐震棚板（以下、単に棚板という。）１は、書棚の棚本体１０を構成する左右一対の側板１１間に架け渡して設けられている。棚本体１０の後部には背板１２が設けられ、最下部には底板１３が設けられている。側板１１の前端近傍と後端近傍には、受け具２０を取り付けるための円形の係合孔１４ｆ、１４ｒが形成されている。棚板１は、左右の側板１１に形成された互いに同じ高さに位置する４つの係合孔１４ｆ、１４ｒに受け具２０を各々取り付け、これら合計４個の受け具２０によってその左右両端前後部が下から受け支えられた状態で棚本体１０に取り付けられる。係合孔１４ｆ、１４ｒは、受け金具２０を取り付ける高さを変更できるように、各側板１１に上下方向に等間隔に複数対設けられている。
【００１０】
図２乃至図４に示すように、受け具２０は、側板１１の端部下面に係合してその荷重を支える支持部（水平部）２０ａと、側板１１に連結される連結部（垂直部）２０ｂとを有する断面略Ｌ字形の金具である。支持部２０ａの先端の前後方向中央部には、棚板１と係合して棚板１の前後方向への移動を阻止する係合爪部２０ｃが設けられている。係合爪部２０ｃは支持部２０ａから上方に直角に折曲して突出している。連結部２０ｂには、側板１１の係合孔１４ｆ、１４ｒに係合するフック部２０ｄが設けられている。フック部２０ｄは連結部２０ｂの上端近傍中央部から側板１１側に突出し斜め下向きに折曲している。受け具２０は、このフック部２０ｄを係合孔１４ｆ、１４ｒに挿入して引っ掛けることにより側板１１に前後方向に揺動可能に垂下された状態で取り付けられる。
【００１１】
図２及び図５に示すように、棚板１は、直角四辺形の平板部２と、平板部２の周縁４辺部をそれぞれ直角に複数回折り曲げ加工することにより形成された断面矩形状の箱形のフレーム部（リブ構造部）３Ｒ、３Ｌ、３ｆ、３ｒとを有している。平板部２の下面には、その長手方向に沿って補強部材４が設けられている。この補強部材４とフレーム部３Ｒ、３Ｌ、３ｆ、３ｒとによって、棚板１の耐荷重性を十分なものとしている。左側のフレーム部３Ｌは図示されていないが、その構造は右側のフレーム部３Ｒと対称構造である。
【００１２】
棚板１の後端部の左右両端には、耐震金具（左側の耐震金具５Ｌは不図示）５（５Ｒ）が設けられている。耐震金具５（５Ｒ、５Ｌ）は、平板部２の下面に溶接により強固に固定されている。右側の耐震金具５Ｒは、平板部２の下面の後部右端部に接して固定されている平板状の基部５ａと、基部５ａから下方に直角に折曲して延びる垂直部５ｂと、垂直部５ｂの下端中央部から直角に折曲して棚板１の右端のフレーム部３Ｒ側に突出した外れ防止部５ｃとを有している。図示されていないが、左側の耐震金具５Ｌは、平板部２の下面の後部左端部に接して固定されている平板状の基部５ａと、基部５ａから下方に直角に折曲して延びる垂直部５ｂと、垂直部５ｂの下端中央部から直角に折曲して棚板１の左端のフレーム部３Ｌ（不図示）側に突出した外れ防止部５ｃとを有している。両耐震金具５Ｒ、５Ｌの外れ防止部５ｃは、それぞれ受け具２０の支持部２０ａの下面に重なるように位置している。右側の耐震金具５Ｒの垂直部５ｂと右端のフレーム部３Ｒとの間及び左側の耐震金具５Ｌの垂直部５ｂと左端のフレーム部３Ｌ（不図示）との間には、受け具２０の係合爪部２０ｃが前後方向にスライドして出入り可能な隙間が形成されている。
【００１３】
棚板１の左右のフレーム部３Ｒ、３Ｌ（不図示）の前端近傍及び後端近傍には、受け具２０の係合爪部２０ｃと係合する切欠部（係合部）６ｆ、６ｒが形成されている。フレーム部３Ｒ、３Ｌ（不図示）の前端近傍の切欠部６ｆは、係合爪部２０ｃが丁度嵌るように寸法設定されている。一方、後端近傍の切欠部６ｒは、棚本体１０への取り付け時における受け具２０に対する棚板１の前後方向へのスライドを許容し得るように、後端側が開いた長寸の切欠部である。
【００１４】
上記のように構成された棚板１の取り付け方法について説明する。
図６（ａ）、図６（ｂ）は棚板１の取り付け方法を示している。
棚板１を取り付けるに際し、左右の側板１１に形成された互いに同じ高さに位置する４つの係合孔１４ｆ、１４ｒに受け具２０を各々取り付けておく。
そして先ず、棚板１の後端の左右両端部を、左右の側板１１の後端側の係合孔１４ｒに取り付けられている両受け具２０に載せ置く。このとき、図６（ｂ）に示すように、棚板１を後傾させておく。両受け具２０は前後方向に揺動可能であるので棚板１に倣って後傾する。
つぎに、図６（ａ）、図６（ｂ）に矢印Ａで示すように、棚板１を両受け具２０に載せ置いた状態で後方すなわち棚本体１０の奥側にスライドさせる。すると、棚板１の後端近傍の両切欠部６ｒの前端部６ａが両受け具２０の係合爪部２０ｃに当接し、棚板１の後方への位置決めがなされると同時に、棚板１の左右の耐震金具５Ｌ、５Ｒの外れ防止部５ｃがそれぞれ左右の受け具２０の支持部２０ａの下面に重なるように配置される。
その後、矢印Ｂで示すように、棚板１の手前側を下げていく。このとき、棚板１の動きに倣って両受け具２０も回動する。そして、棚板１が水平姿勢になると同時に、左右の側板１１の前端側の係合孔１４ｆに取り付けられている両受け具２０に棚板１の後端左右両端部が載せ置かれる。また同時に、両受け具２０の係合爪部２０ｃが棚板１の前端近傍の両切欠部６ｆに係合する。図７（ａ）、図７（ｂ）はこのときの状態を示している。
以上の手順により、棚本体１０への棚板１の取り付けが完了する。
【００１５】
このように、この棚板１は、受け具２０に対して前後方向にスライドさせることにより棚本体１０に簡単に取り付けることができる。そして、取り付けた後は耐震金具５Ｌ、５Ｒの外れ防止部５ｃがそれぞれ左右の受け具２０の支持部２０ａの下面に重なることにより、受け具２０に対する棚板１の上方への移動が阻止された状態になる。したがって、この棚板１は、地震などによる上下方向の強い振動が発生しても受け具２０から外れにくい。また、４個の受け具２０の係合爪部２０ｃが棚板１の前後左右四箇所の切欠部６ｆ、６ｒに係合するため、前後方向の振動が発生しても外れにくい。
【００１６】
なお、上記の実施形態の例では、受け具２０が係合爪部２０ｃを有し、棚板１が係合爪部２０ｃと係合する切欠部６ｆ、６ｒを有しているが、前後方向の振動に対する耐震性を問題にしないならば、係合爪部２０ｃ及び切欠部６ｆ、６ｒは省略してもよい。
【００１７】
また、上記の例では、棚板１の左右のフレーム部３Ｒ、３Ｌに、受け具２０の係合爪部２０ｃを受け入れて係合する切欠部６ｆ、６ｒが設けられているが、切欠部６ｆ、６ｒの代わりに、係合爪部２０ｃと当接して係合する突起部などを設けてもよい。
【００１８】
また、上記の例では、外れ防止部５ｃを有する耐震金具５を棚板１の平板部２の下面に固定することにより、棚板１に外れ防止部５ｃが設けられているが、棚板１の左右のフレーム部３Ｒ、３Ｌを折り曲げ加工などにより形成する際、その一部分に外れ防止部５ｃを形成してもよい。この場合、耐震金具５を省略できるので、上記の例よりも棚板１の部品数を削減し、軽量化を実現できる。
【符号の説明】
【００１９】
１  耐震棚板
５（５Ｌ、５Ｒ）  耐震金具
５ｃ  外れ防止部
６ｆ、６ｒ  切欠部（係合部）
１０  棚本体
１１  側板
１４ｆ、１４ｒ  係合孔
２０  受け具
２０ａ  支持部
２０ｃ  係合爪部
２０ｄ  フック部
【図１】
0005912418.tif 000002
【図２】
0005912418.tif 000003
【図３】
0005912418.tif 000004
【図４】
0005912418.tif 000005
【図５】
0005912418.tif 000006
【図６】
0005912418.tif 000007
【図７】
0005912418.tif 000008